(57)【特許請求の範囲】
【請求項１】
地盤若しくは地盤上に設置される地盤基礎と建物を支持するコンクリート基礎との間に、ピース状の免震支承材が、隣り合う該免震支承材どうしそれぞれ離間して配置され、該免震支承材間に渡すようにコンクリート基礎支承板が備えられており、該コンクリート基礎支承板はコンクリート基礎打設時にコンクリート基礎の底部型枠として用いられることを特徴とする基礎下免震構造。
【請求項２】
前記コンクリート基礎支承板は、コンクリート基礎の配筋を支持する配筋支持部を有する請求項１に記載の基礎下免震構造。
【請求項３】
前記コンクリート基礎支承板は、コンクリート基礎打設時に用いる型枠を支持する型枠支持部を有する請求項１乃至２のいずれか一項に記載の基礎下免震構造。
【請求項４】
地盤若しくは地盤上に設置される地盤基礎上に、ピース状の免震支承材を隣り合う該免震支承材どうしをそれぞれ離間して配置する工程と、
該免震支承材間に渡すようにコンクリート基礎支承板を備える工程と、
該コンクリート基礎支承板及び免震支承材上にコンクリート基礎の配筋を設置する工程と、
該コンクリート基礎支承板及び免震支承材上にコンクリート基礎打設用の型枠を設置する工程と、
型枠内にコンクリートを打設する工程と、
コンクリート養生後、コンクリート基礎打設用の型枠を取り外す工程とからなる基礎下免震構造の施工方法。
【発明の詳細な説明】
【技術分野】
【０００１】
本発明は、基礎下免震構造及びその施工方法に関する。
【背景技術】
【０００２】
建物のベース基礎を鋼材で構成される架台で支持し、該架台と地盤面との間に免震支承材を介設して、建物を免震する免震構造は従来より提案されている。
【０００３】
しかし、この免震構造では建物のベース基礎を支持する架台を設ける必要があるため、架台が追加される分だけコストが増加するとう問題があった。
【０００４】
そこで、余分な構成要素を省き安価な免震構造を実現する方法として、建物のベース基礎と地盤面との間に滑り層を設け、建物のベース基礎そのものを地盤面に対して水平移動させて免震する基礎下免震構造が提案されている。
【先行技術文献】
【特許文献】
【０００５】
【特許文献１】特開２００７−０７０８５９号公報
【特許文献２】特開２０１１−２４７０３２号公報
【発明の概要】
【発明が解決しようとする課題】
【０００６】
この基礎下免震構造では、地盤面に対し対の滑り材等からなる滑り層を設けた後、滑り層の上に建物のベース基礎を設けることで実現される。建物のベース基礎が、プレキャストコンクリート造のＰＣ基礎であれば、滑り層の上にＰＣ基礎を順次設置していくことで施工が完了するが、建物のベース基礎を建設現場でコンクリートを打設して完成させる現場打ち基礎である場合には、建物のベース基礎が地盤面とも密着してしまい免震機能が発揮できなくなってしまう。
【０００７】
本発明は、以上のような問題点に鑑み、建物のベース基礎が現場打ち基礎である場合であっても、基礎下免震を実現することができる基礎下免震構造及びその施工方法を提供することを課題とする。
【課題を解決するための手段】
【０００８】
上記の課題は、地盤若しくは地盤上に設置される地盤基礎と建物を支持するコンクリート基礎との間に、ピース状の免震支承材が、隣り合う該免震支承材どうしそれぞれ離間して配置され、該免震支承材間に渡すようにコンクリート基礎支承板が備えられており、該コンクリート基礎支承板はコンクリート基礎打設時にコンクリート基礎の底部型枠として用いられることを特徴とする基礎下免震構造により解決される。
【０００９】
この基礎下免震構造では、ピース状の免震支承材が、隣り合う該免震支承材どうしそれぞれ離間して配置され、該免震支承材間に渡すようにコンクリート基礎支承板が備えられているので、このコンクリート支承板をコンクリート基礎打設時のコンクリート基礎の底部型枠として用いることで、コンクリート基礎と地盤面の密着を防止することができる。また、免震支承材がピース状であるので、地盤若しくは地盤基礎及びコンクリート基礎底部を全面にわたって平滑にする必要がなく、部分的な平滑を確保するだけでよい。さらに、このコンクリート支承板は、コンクリート基礎の底部の一部として利用することができるので、コンクリート打設後に撤去する必要がなく、撤去する作業を省略することができる。
【００１０】
上記の基礎下免震構造において、コンクリート基礎支承板は、コンクリート基礎の配筋を支持する配筋支持部を有しているとよい。
【００１１】
コンクリート基礎支承板が、コンクリートの配筋を支持する配筋支持部を有しているので、コンクリート基礎の内部の配筋を支持するための支持材を別途備える必要がなく、配筋時には、コンクリート基礎支承板に備えられた配筋支持部に配筋を設置するだけでよい。
【００１２】
また、上記の基礎下免震構造において、コンクリート基礎支承板は、コンクリート基礎打設時に用いる型枠を支持する型枠支持部を有しているとよい。
【００１３】
コンクリート基礎支承板が、コンクリート基礎打設時に用いる型枠を支持する型枠支持部を有しているので、型枠を支持するための支持材を別途設ける必要がなく、コンクリート打設後の支持材を撤去する作業を省略することができる。
【００１４】
また、上記の課題は、地盤若しくは地盤上に設置される地盤基礎上に、ピース状の免震支承材を隣り合う該免震支承材どうしをそれぞれ離間して配置する工程と、該免震支承材間に渡すようにコンクリート基礎支承板を備える工程と、該コンクリート基礎支承板及び免震支承材上にコンクリート基礎の配筋を設置する工程と、該コンクリート基礎支承板及び免震支承材上にコンクリート基礎打設用の型枠を設置する工程と、型枠内にコンクリートを打設する工程と、コンクリート養生後、コンクリート基礎打設用の型枠を取り外す工程とからなる基礎下免震構造の施工方法によっても解決される。
【発明の効果】
【００１５】
本発明は以上のとおりであるから、建物のベース基礎が現場打ち基礎である場合であっても、基礎下免震を実現することができる基礎下免震構造及びその施工方法を提供することができる。
【図面の簡単な説明】
【００１６】
【図１】図（イ）は、本発明の実施形態である基礎下免震構造を示す正面図、図（ロ）は、図（イ）のＡ−Ａ線断面図、図（ハ）は、図（イ）のＢ−Ｂ線断面図、図(ニ)は、図（イ）のＣ−Ｃ線断面図である。
【図２】図（イ）は、コンクリート基礎支承材を示す側面図、図(ロ)は、同平面図、図（ハ）は、同斜視図である。
【図３】図（イ）乃至（ホ）は、基礎下免震構造の施工方法を順次示す断面側面図である。
【図４】図（イ）乃至（ニ）は、コンクリート基礎支承材の他の形態を示す斜視図である。
【発明を実施するための形態】
【００１７】
次に、本発明の実施形態を図面に基づいて説明する。
【００１８】
図１に示す基礎下免震構造１において、２は、立ち上がり部２ａとベース２ｂとからなる逆Ｔ字型のコンクリート基礎、３は、コンクリート基礎支承板、４は、免震支承材、５は、地盤基礎、６は、地盤である。
【００１９】
図１（イ）、（ハ）に示すように、突き固められた地盤６の上に、地盤基礎５が一面に水平に設けられ、その上に平面視矩形で上側及び下側の対で一組となる免震支承材４，４が、隣り合う免震支承材どうしそれぞれ離間して配置される。免震支承材４の幅は、コンクリート基礎２のベース部２ｂの幅と略同じで、コンクリート基礎２の延伸方向に沿う免震支承材の長さは、幅よりも長くなっている。ここでは、免震支承材として、厚み２０ｍｍ、幅５００ｍｍ、長さ９００ｍｍのポリスチレン製の発泡樹脂材が用いられ、それぞれ、９１０ｍｍ離間されている。
【００２０】
図１（イ）、（ニ）に示すように、離間して配置される免震支承材間に渡すように、コンクリート基礎支承板３が設置される。ここでは、隣り合うコンクリート基礎支承板３どうしが、連続しないように、それぞれ間隔をあけて免震支承材間に渡すように設置される。
【００２１】
図２に示すように、コンクリート基礎支承板３は、免震支承材４と略同一の幅からなる矩形の鋼板からなる本体部３ａと、本体部３ａの幅方向両端部の垂直方向上向きに折り返される折返部３ｂ、３ｂと、本体部３ａの上面に、本体部３ａの長さ方向に間隔をあけて設けられる支持部３ｃとからなる。
【００２２】
折返部３ｂは、本体部３ａの剛性を高めるために設けられる。支持部３ｃは、本体部３ａと連続する下端部と反対の上側中央部に、コンクリート基礎の配筋を支持する切り込み３ｃ１が設けられ、切り込み３ｃ１の両側には、コンクリート基礎打設時にコンクリート基礎立ち上がり部２ａ打設用の型枠を支持するための切り込み３ｃ２が設けられている。隣り合う支持部３ｃどうしの協働により、配筋及び型枠を支持することができる。なお、この支持部は、配筋を支持する配筋支持部及型枠を支持する型枠支持部を兼ねるものである。
【００２３】
次に、この基礎下免震構造を実現するための施工方法について説明する。
【００２４】
図３（イ）に示すように、最初に地盤６を突き固めた後、地盤６上の地盤基礎５をその表面が水平となるように設ける。そして、地盤基礎５の上に、対で一組となる免震支承材４，４を隣り合う免震支承材どうしを離間させて配置する。免震支承材４，４間には免震支承材４，４どうしのすべりをよくするために、滑りシートや滑り板、滑り潤滑材等を備えさせてもよい。また、下側の免震支承材４は、地盤基礎５設置後に地盤基礎５に締結具や接着剤等により固定してもよいし、地盤基礎５のコンクリート打設時に下側の免震支承材４を配置し、地盤基礎５と一体化させてもよい。
【００２５】
次に、図３（ロ）に示すように、免震支承材４，４間に渡すようにコンクリート基礎支承板３を配置する。
【００２６】
次に、図３（ハ）に示すように、コンクリート基礎支承板３の支持部３ｃの切り込み３ｃ１にコンクリート基礎の配筋７を、切り込み３ｃ２にコンクリート基礎立ち上がり部２ａ打設用の型枠８，８を取り付ける。なお、９，９はコンクリート基礎ベース部２ｂ打設用の型枠であり、周囲の地盤に支持治具等で固定される。
【００２７】
次に、図３（ニ）に示すように、組み立てられた立ち上がり部２ａ用型枠８，８及びベース部２ｂ用型枠９，９内にコンクリートを打設する。
【００２８】
最後に、図３（ホ）に示すように、コンクリートの養生後、型枠８，８及び型枠９，９を取り外して基礎下免震構造は完成する。
【００２９】
この基礎下免震構造では、ピース状の免震支承材が、隣り合う該免震支承材どうしそれぞれ離間して配置され、該免震支承材間に渡すようにコンクリート基礎支承板が備えられているので、このコンクリート支承板をコンクリート基礎打設時のコンクリート基礎底部型枠として用いることで、コンクリート基礎と地盤面の密着を防止することができる。
【００３０】
また、免震支承材がピース状であるので、地盤若しくは地盤基礎及びコンクリート基礎底部を全面にわたって平滑にする必要がなく、部分的な平滑を確保するだけでよい。
【００３１】
さらに、このコンクリート支承板は、コンクリート基礎の底部の一部として利用することができるので、コンクリート打設後に撤去する必要がなく、撤去する作業を省略することができる。
【００３２】
コンクリート基礎支承板が、コンクリートの配筋を支持する配筋支持部を有しているので、コンクリート基礎の内部の配筋を支持するための支持材を別途備える必要がなく、配筋時には、コンクリート基礎支承板に備えられた配筋支持部に配筋を設置するだけでよい。
【００３３】
コンクリート基礎支承板が、コンクリート基礎打設時に用いる型枠を支持する型枠支持部を有しているので、型枠を支持するための支持材を別途設ける必要がなく、コンクリート打設後の支持材を撤去する作業を省略することができる。
【００３４】
以上に、本発明の実施形態を示したが、本発明はこれに限られるものではなく、発明思想を逸脱しない範囲で各種の変更が可能である。例えば、上記の実施形態では、コンクリート基礎支承板を、隣り合うコンクリート基礎支承板どうしを離間して、免震支承材間に渡すように配置する場合について示したが、コンクリート基礎支承板は、免震支承材間に渡すように配置されていればよく、隣り合うコンクリート基礎支承板どうしが連続して配置されてもよい。
【００３５】
また、上記実施形態では、コンクリート基礎支承板が、本体部と折返部と支持部とからなる場合について示したが、折返部は、コンクリート基礎支承板の面剛性を高めるために設けられるものであって、図４（イ）乃至（ニ）に示すように、本体部にリブ１１を設けてもよいし、図４（イ）、（ロ）及び（ニ）に示すように支持材間に長手方向若しくは短手方向にリブ１２、１３を設けてもよい。
【００３６】
さらに、支持部についても必ず必要でなく、図４（ハ）及び（ニ）に示すように、コンクリート基礎支承板には支持部は設けず、配筋及び型枠を支持する受け材を別体として用意してもよい。また、支持部は、コンクリート基礎支承材一体につき、少なくとも２個必要なわけではなく、配筋及び型枠の長さとコンクリート基礎支承板の長さとの関係で、コンクリート基礎支承板一体につき、一個であってもよいし、また３以上の複数体であってもよいのはいうまでもない。
【符号の説明】
【００３７】
１・・・基礎下免震構造
２・・・コンクリート基礎
３・・・コンクリート基礎支承板
３ａ・・・本体部
３ｂ・・・折返部
３ｃ・・・支持部（配筋支持部、型枠支持部）
４・・・免震支承材
５・・・地盤基礎
６・・・地盤
７・・・配筋（コンクリート基礎）
８・・・型枠（コンクリート基礎立ち上がり部打設用）
９・・・型枠（コンクリート基礎ベース部打設用）
【図１】
0005852462.tif 000002
【図２】
0005852462.tif 000003
【図３】
0005852462.tif 000004
【図４】
0005852462.tif 000005